(57)【要約】【課題】より少ない労力で、より滑らかに、様々な角度から安全に、ケーブルをハンドホールやトラフに導・出入させたいという要望が現場からある。【解決手段】一列又は複数列に連接された多数の容器の夫々にボールを回転自在に収容したガイド治具を、波付管の長手方向任意箇所の内周面にリング状に取付けた。容器にボールを回転自在に収容した多数のガイド治具を、波付管の長手方向任意箇所の内周面に、リング状に取付けた。上記ガイド治具は、多数の容器を一列又は複数列に連接し、夫々の容器にボールを回転自在に収容して、その容器が波付管の長手方向任意箇所の内周面にリング状に取付け可能であるものである。【選択図】　　　図１
2004147464.tif 000002
【特許請求の範囲】
【請求項１】
一列又は複数列に連接された多数の容器の夫々にボールが回転自在に収容されたガイド治具が、波付管の長手方向任意箇所の内周面にリング状に取付けられたことを特徴とするボール付ガイド。
【請求項２】
容器にボールを回転自在に収容した多数のガイド治具が、波付管の長手方向任意箇所の内周面に、リング状に取付けられたボール付ガイド。
【請求項３】
多数の容器が一列又は複数列に連接され、夫々の容器にボールが回転自在に収容され、その容器が波付管の長手方向任意箇所の内周面にリング状に取付け可能であることを特徴とするガイド治具。
【発明の詳細な説明】
【０００１】
【発明の属する技術分野】
本発明のボール付ガイドは、光ファイバケーブル、一般の信号ケーブル、電力ケーブル等々の長尺物を、線路脇に設けられた縦穴（以下、ハンドホールという）からレールが敷設されている道床の下に配置したトラフに引き込んだり、トラフからハンドホールを通して外部に引き出したりするのに使用するのに適するものである。また、ボール付ガイドと、それに用いるボール付ガイド用ガイド治具に関するものである。ワイヤー、ロープ等の長尺物をマンホール等に敷設するのに使用することもできるものである。本発明のガイド治具は前記ボール付ガイドに使用されるものである。
【０００２】
【従来の技術】
線路脇に敷設されているトラフ内のケーブルは、レールが敷設されている道床の下を横断して敷設されたり、踏み切りの下を通過して敷設されたりすることがある。この場合、線路脇にハンドホールを設け、そのハンドホールからケーブルを導入して、道床の下や踏み切りの下に配設されているトラフ内に送り込み、反対側のハンドホールから導出する。その際、従来は図１１に示すように、作業員Ａが箱状のハンドホールＢ内に入ってケーブルＣをトラフＤ内に人力で送り込み、反対側のハンドホールＥ内に入っている作業員ＦがトラフＤから外部へとケーブルＣを引き出している。
【０００３】
しかし、上記のように人力によってケーブルを牽引する場合、以下のような課題があった。
１．ケーブルには径の太いもの、重いもの等があるため、狭いハンドホール内で、作業員が人力でケーブルを引込んだり、方向転換したり、送り出したりすると、作業しにくく、力を出しにくく、作業性、作業能率が悪く、しかも作業員にとっては窮屈な作業であり且つ重労働であった。
２．作業を軽減するためには、多くの作業員が力を出し合えば良いが、ハンドホール内は狭いため、その内部に多くの作業員が入ることはできない。
３．作業しにくいため、ケーブルがハンドホールの入口や出口の内壁面やコーナーに接触して、ケーブルの被覆に傷が付くこともあった。被覆に傷が付くとケーブルを新しいのと交換して敷設し直さなければならず、作業が二重になり、手間がかかり、コストが嵩むといった様に難点が増大していた。
【０００４】
そこで、本件発明者は、ハンドホール内に入る作業員が少なくても同様の作業ができるように、図１０に示すようなケーブル牽引具Ｇと、それを用いたケーブル牽引方法を開発した（前記特許文献１参照）。このケーブル牽引具Ｇは、基体Ｈ、アームＩ、アームＩの角度を調節する角度調節機構Ｊ、基体ＨとアームＩに回転可能に設けてケーブルＫを案内するガイドローラＬ、基体をハンドホール内に支持する支持体Ｍを設け、支持体Ｍに基体Ｈを往復スライドさせて基体ＨとアームＩに取付けられたガイドローラＬの位置を調節する位置調節機構Ｎを設けたものであり、同図に示すように、支持体ＭによってハンドホールＯ内に固定して用いる。該ケーブル牽引具Ｇは、同図中の入口ＰからハンドホールＯ内に入って来たケーブルＫをガイドローラＬの外周面に添わせて、出口Ｑへと送り出すことができるものである。また、同ケーブル牽引具Ｇは、角度調節機構ＪによってアームＩの角度を所望角度に調節し、位置調節機構Ｎにより基体Ｈ及びアームＩに取り付けられたガイドローラＬの位置を所望位置に調節するものである。
【０００５】
【特許文献１】
特開２００１−１０３６３３号公報。
【０００６】
【発明が解決しようとする課題】
上記のケーブル牽引具及びそれを用いたケーブル牽引方法には特に欠点はないが、より少ない労力で、より滑らかに、様々な角度から安全に、ケーブルをハンドホールやトラフに導・出入させたいという要望が現場からある。
【０００７】
【課題を解決するための手段】
本発明の目的はハンドホールやトラフへのケーブルの送り出し、それらからのケーブルの引き出し等を、弱い力で容易且つスムースに行うことができ、作業員が少人数で済み、作業中にケーブルが損傷しにくく、ケーブルとケーブル敷設作業の無駄が生じないようにしたボール付ガイドと、それに使用されるガイド治具を提供することにある。
【０００８】
本件出願の請求項１のボール付ガイドは、一列又は複数列に連接された多数の容器の夫々にボールが回転自在に収容されたガイド治具が、波付管の長手方向任意箇所の内周面にリング状に取付けられたものである。
【０００９】
本件出願の請求項２のボール付ガイドは、容器にボールを回転自在に収容した多数のガイド治具が、波付管の長手方向任意箇所の内周面に、リング状に取付けられたものである。
【００１０】
本件出願の請求項３のガイド治具は、多数の容器が一列又は複数列に連接され、夫々の容器にボールが回転自在に収容され、容器が波付管の長手方向任意箇所の内周面にリング状に取付け可能なものである。
【００１１】
【発明の実施の形態】
（実施形態１）
本発明のボール付ガイドとそれに使用されるガイド治具との実施形態を図面に基づいて説明する。図１に示すものはボール付ガイドの一実施例である。本発明のボール付ガイド１は周方向に螺旋状の山２と谷３とが波状に成形された波付管４の長手方向任意箇所の谷３の内周面に、図２に示すガイド治具５がリング状に取付けられたものである。
【００１２】
波付管４は樹脂等の可撓性材によって成形されており、山と谷とが螺旋状に形成されている。波付管４は独立したリング状の山と谷とが波状に形成されたものでもよい。
【００１３】
ガイド治具５は図２（ａ）（ｂ）に示すように、多数個の容器６が一列に連接された容器連結体７と、ボール８（図２（ａ）では図示を省略）とから構成される。各容器６は図３に示すように周壁１０が底１１から開口部１２に向けて次第に外側広がりになっており、開口部１２の直径をボール８の直径よりも少し大きくして、ボール８を出し入れできるようにしてある。底１０の中央部に内側に突出する膨出部１３が形成されている。この膨出部１３はボール８が接触したときの抵抗を小さくして、ボール８が容器６内で３６０度いずれの方向にも回転し易くするためのものである。隣接する容器６の間の連結部９は幅を狭くして図２（ｂ）のように曲がり易くしてある。任意の位置の連結部９には止め穴１４を形成してある。この止め穴１４は波付管４の外部から螺子をねじ込んで、容器連結体７を波付管４の内側に固定するためのものである。容器連結体７は樹脂等の可撓性部材で成形して、連結部９を図２（ｂ）に示すように曲げることができるようにしてある。
【００１４】
ボール８は容器６の開口部１２から容器６内に回転可能に収容されており、その容器６の開口部１２にボール８の外側から抜け防止板１５を被せて、ボール８が容器６から抜け落ちないようにしてある。抜け防止板１５は容器６の上面１６の形状と同じ形状のものが容器６の数と同じ数だけ連結されている。抜け防止板１５には多数のボール突出孔１７が所定間隔で開口されており、抜け防止板１５を容器６に被せると夫々のボール突出孔１７が各容器６に収容されたボール８に被さるようにしてある。ボール突出孔１７の直径はボール８の直径よりも小さくして、ボール８がボール突出孔１７から抜け落ちないようにしてある。容器６に被せた抜け防止板１５は接着剤により容器６の上面１６に接着固定してある。ボール８は硬質樹脂製とか金属製とすることができる。抜け防止板１５も容器６と同じ材質の樹脂製とするのが好ましい。
【００１５】
ガイド治具５は各容器６内のボール８を内側に向けて、波付管４の内周面の谷３に嵌め、波付管４の外側から容器連結体７の止め孔９に螺子をねじ込んで、波付管４内に固定し、各容器６から突出しているボール８の一部が波付管４の内側に突出するようにしてある。ガイド治具５は波付管４の入口の内周面と出口の内周面と、その間の任意箇所の内周面に取付けられている。図１ではガイド治具５を波付管４の一箇所に一本ずつ取付けてあるが、二本ずつ並べて（二本の谷に並べて）取付けることも、それ以上の本数を並べて取付けることもできる。波付管は樹脂等のものとか金属製のもの等を使用することができる。
【００１６】
（使用例１）
図１〜図３に示す本発明のボール付ガイドを使用して、ケーブルをハンドホール内へ引き込んだり、トラフへ送り出したり、トラフから引きだしてハンドホール外へ送り出したりするには例えば次のようにする。
１．図４に示すように、本発明のボール付ガイド１を入口側のハンドホール２１内に斜めに配置して、下端をトラフ２２の入り口に配置する。出口側のハンドホール２１にもボール付ガイド１を同様に配置する。
２．図５に示すようにドラム３０から引き出したケーブル１８をボール付ガイド１内に送り込むと、ケーブル１８はボール付ガイド１のボールに接触してボール付ガイド１内を円滑に通過し、トラフ２２内へ送り込まれる。トラフ２２の出口から引き出されるケーブル１８はボール付ガイド１内を通過してハンドホール２１の外に引き出される。このケーブル１８を出口側の作業者が引くと、ケーブル１８はボール付ガイド１内のボール８と接触して円滑に引き出される。
【００１７】
（実施形態２）
本発明のボール付ガイドとガイド治具の第２の実施形態を図６、７に基づいて説明する。図６のボール付ガイド１は波付管４の長手方向任意箇所に、図７（ａ）（ｂ）のように二列に連結されたガイド治具５を取付けたものである。図７のガイド治具５は図２の一列のガイド治具５を横二列に連結したものである。図６で図７の横二列のガイド治具５の容器を波付管４の内周面の隣接する二列の谷３に嵌め込んでねじ止めしてある。
【００１８】
（使用例２）
本発明のボール付ガイドは図８のように金車と組み合わせて使用することができる。図８に示すものは二本のボール付ガイド１をハンドホール２１に配置し、二本のボール付ガイド１の間に金車２０を配置して、波付管４内を通過するケーブル１８の途中を金車２０でガイドするようにしたものである。金車２０は例えば図１０のような治具を使用して同図に示す方法でハンドホール２１内に保持することができる。この場合も、ボール付ガイド１内を通過するケーブル１８はボール付ガイド１内の内周面に突出しているボール８の回転により容易且つ円滑に送られ、金車２０によって確実に湾曲されて所望方向に送られる。
【００１９】
（実施形態３）
前記実施形態１、２のガイド治具５は、容器連結体７が一列又は横二列のものであるが、本願発明のガイド治具５は容器６が横に三列以上連結されたものであってもよい。また、ガイド治具５は容器６が一個ずつ独立しており、夫々の容器６にボールを収容したものでも良い。また、容器６が数個（３￣５個程度）だけ一列に連結されたものとか、その容器連結体７が横に二列以上に連結されたものでもよい。これらのガイド治具５を波付管４の内周面の谷３に沿ってリング状に取付けて、ボール付ガイド１とすることができる。これらガイド治具５は短いため、一つずつ波付管４に螺子で取り付けたり、接着剤で接着したりすることができる。
【００２０】
前記各実施形態ではガイド治具５を波付管４の内周面の谷３に嵌め込んで取付けてあるが、ガイド治具５は波付管４の山２に取付けることもできる。
【００２１】
前記各実施形態では、波付管４へのガイド治具５の取り付けを螺子止めによって行なっていたが、その取付けは接着剤や粘着テープ、その他の固定手段で行なうこともできる。
【００２２】
図２では容器６の周壁１０を開口部１２に向けて次第に外側に広げてあり、その容器６内にボール８を収容してから、容器６の開口部１２に抜け防止板１５を被せてボール８の抜けを防止するようにしてあるが、本願発明では次のようにしてボール８の抜けを防止することもできる。図９のように、容器６の周壁１０を開口部１２に向けて次第に外側広がりにし、周壁１０の開口端部１９を内側に湾曲させて、開口端部１９の幅をボール８の直径よりも狭く成型する。成形された後の熱い容器６（変形可能な軟らかさの容器）の開口端部１９から、開口端部１９よりも直径がやや大きいボールを容器６内に圧入し、その状態で容器６を自然冷却させて硬化させて、開口端部１９が圧入前よりも縮小してボール８が開口端部１９から抜けなくなるようにしても良い。この場合もボール８は容器６内で３６０度いずれの方向にも自由に回転できる。
【００２３】
【発明の効果】
本件出願の第１のボール付ガイドは次のような効果がある。
（１）波付管内のケーブルが３６０度いずれの方向にも自由に回転するボールに接触するため、波付管内でのケーブルの移動がスムースになり、少しの力でケーブルを送りこんだり引き出したりすることができ、ハンドホール内に作業員が入らなくともケーブルの送り込みや引き出しが可能となる。
（２）ボールが波付管内の周方向にリング状に取り付けられているため、波付管内でのケーブルの移動がより一層スムースになる。
（３）ボールを波付管内に二列以上並べて取付けると、波付管内でのケーブルの移動がより一層スムースになる。
（４）波付管も容器も可撓性のある樹脂等の場合は、ボール付ガイドが変形し易くなり、波付管を曲げるだけでケーブルを容易に方向転換することができる。
（５）ケーブルが波付管内を移動するのでケーブルの被覆の損傷が殆どなく、ケーブルの無駄や作業の無駄が軽減される。
（６）作業員の労力負担が軽減され、怪我もしにくくなり、安全である。
【００２４】
本件出願の第２のボール付ガイドは次のような効果がある。
（１）多数の容器が連接されずに夫々個別の多数個の容器になっている状態の容器を用いたガイド治具を用いているので、より細かく波付管を撓ませることができ、ケーブルの方向転換がスムースになる。
【００２５】
本件出願のガイド治具は次のような効果がある。
（１）ボールが容器内で３６０度いずれの方向にも回転自在であるため、ガイド治具を波付管に取付けるだけで、手軽にボール付ガイドを製造することができる。
（２）容器が可撓性部材で成形されているため、波付管の内周面に沿って取り付けることができる。
（３）多数の容器が連結されているので、波付管への取り付けが容易になる。
（４）波付管の谷にはめ込むことができるので、波付管への取り付けが容易になり、取り付け後にずれもしない。
【図面の簡単な説明】
【図１】本発明のボール付ガイドの実施形態の一例を示す説明断面図。
【図２】（ａ）、（ｂ）は本発明のボール付ガイドのガイド治具の実施形態の一例を示す説明図。
【図３】本発明のボール付ガイドのガイド治具の容器の構造を示す説明図。
【図４】本発明のボール付ガイドの実施形態の一例を示す説明図。
【図５】本発明のボール付ガイドの使用方法の一例を示す説明図。
【図６】本発明のボール付ガイドの実施形態の他の一例を示す説明断面図。
【図７】（ａ）、（ｂ）は本発明のボール付ガイドのガイド治具の実施形態の他の一例を示す説明図。
【図８】本発明のボール付ガイドの実施形態の他の一例を示す説明図。
【図９】本発明のガイド治具の容器の構造の他の一例を示す説明図。
【図１０】従来のケーブル牽引具の実施形態の一例を示す説明図。
【図１１】従来のケーブル牽引の様子を示す説明図。
【符号の説明】
１　ボール付ガイド
２　山
３　谷
４　波付管
５　ガイド治具
６　容器
７　容器連結体
８　ボール
９　連結部
１０　周壁
１１　底
１２　開口部
１３　膨出部
１４　止め穴
１５　抜け防止板
１６　上面
１７　ボール突出孔
１８　ケーブル
１９　開口端部
２０　金車
２１　ハンドホール
２２　トラフ
【図１】
2004147464.tif 000003
【図２】
2004147464.tif 000004
【図３】
2004147464.tif 000005
【図４】
2004147464.tif 000006
【図５】
2004147464.tif 000007
【図６】
2004147464.tif 000008
【図７】
2004147464.tif 000009
【図８】
2004147464.tif 000010
【図９】
2004147464.tif 000011
【図１０】
2004147464.tif 000012
【図１１】
2004147464.tif 000013